(57)【要約】【課題】ユーザが煩雑な操作を行うことなく、表示装置で視聴していたチャネルを携帯端末で継続して視聴することができる表示制御システム、表示装置、プログラム及び表示制御方法を提供する。【解決手段】表示装置は、コンテンツを取得する第１のコンテンツ取得部と、第１のコンテンツ取得部が取得するコンテンツを表示する第１の表示部と、処理開始指示信号を他の表示装置に送信する処理開始指示信号送信部と、他の表示装置が表示しているコンテンツを特定するコンテンツ識別情報を他の表示装置から受信した場合にコンテンツ識別情報で特定されるコンテンツを第１のコンテンツ取得部が取得して第１の表示部に表示する第１の処理部と備える。【選択図】図２
2008244921.tif 000002
【特許請求の範囲】
【請求項１】
第１の表示装置と第２の表示装置とを備える表示制御システムであって、
前記第１の表示装置は、
コンテンツを取得する第１のコンテンツ取得部と、
前記第１のコンテンツ取得部が取得するコンテンツを表示する第１の表示部と、
処理開始指示信号を前記第２の表示装置に送信する処理開始指示信号送信部と、
前記第２の表示装置が表示しているコンテンツを特定するコンテンツ識別情報を前記第２の表示装置から受信した場合に前記コンテンツ識別情報で特定されるコンテンツを第１のコンテンツ取得部が取得して前記第１の表示部に表示する第１の処理部とを備え、
前記第２の表示装置は、
コンテンツを取得する第２のコンテンツ取得部と、
前記第２のコンテンツ取得部が取得するコンテンツを選択するコンテンツ選択部と、
前記コンテンツ選択部が選択したコンテンツを前記第２のコンテンツ取得部により取得して表示する第２の表示部と、
前記処理開始指示信号を前記第１の表示装置から受信した場合に前記コンテンツ識別情報を前記第１の表示装置に送信するコンテンツ識別情報送信部とを備えることを特徴とする表示制御システム。
【請求項２】
前記第１のコンテンツ取得部は、前記コンテンツとして放送波に含まれるコンテンツを取得し、
前記コンテンツ識別情報送信部は、コンテンツを特定するコンテンツ識別情報として、放送波に含まれるチャネルを特定するチャネル識別情報を送信することを特徴とする請求項１に記載の表示制御システム。
【請求項３】
前記コンテンツ識別情報送信部は、前記コンテンツ識別情報とともに前記コンテンツ再生経過時間を送信し、
前記第１の処理部は、前記第２の表示装置が表示しているコンテンツを特定するコンテンツ識別情報と前記第２の表示装置でのコンテンツの再生経過時間とを前記第２の表示装置から受信した場合に前記コンテンツ識別情報で特定されるコンテンツを第１のコンテンツ取得部が取得して前記コンテンツ再生経過時間から前記第１の表示部に表示することを特徴とする請求項１に記載の表示制御システム。
【請求項４】
前記第１の表示装置は、前記コンテンツ識別情報を前記第２の表示装置から受信した場合に前記第２の表示部でのコンテンツの表示を停止させる表示停止指示信号を前記第２の表示装置に送信する表示停止指示信号送信部を備え、
前記第２の表示装置は、前記表示停止指示信号を前記第１の表示装置から受信した場合に前記第２の表示部でのコンテンツの表示を停止する第２の処理部を備えることを特徴とする請求項１に記載の表示制御システム。
【請求項５】
前記第２の処理部は、前記表示停止指示信号を前記第１の表示装置から受信した場合に、コンテンツの表示を停止することを通知するメッセージを前記第２の表示部に表示することを特徴とする請求項４に記載の表示制御システム。
【請求項６】
他の表示装置と通信する表示装置であって、
コンテンツを取得する第１のコンテンツ取得部と、
前記第１のコンテンツ取得部が取得するコンテンツを表示する第１の表示部と、
処理開始指示信号を前記他の表示装置に送信する処理開始指示信号送信部と、
前記他の表示装置が表示しているコンテンツを特定するコンテンツ識別情報を前記他の表示装置から受信した場合に前記コンテンツ識別情報で特定されるコンテンツを第１のコンテンツ取得部が取得して前記第１の表示部に表示する第１の処理部と、
備えることを特徴とする表示装置。
【請求項７】
他の表示装置と通信する表示装置であって、
コンテンツを取得する第２のコンテンツ取得部と、
前記第２のコンテンツ取得部が取得するコンテンツを選択するコンテンツ選択部と、
前記コンテンツ選択部が選択したコンテンツを前記第２のコンテンツ取得部により取得して表示する第２の表示部と、
前記処理開始指示信号を前記他の表示装置から受信した場合に前記コンテンツ識別情報を前記他の表示装置に送信するコンテンツ識別情報送信部と、
備えることを特徴とする表示装置。
【請求項８】
他の表示装置と通信する表示装置のコンピュータを、
コンテンツを取得する第１のコンテンツ取得手段と、
前記第１のコンテンツ取得手段が取得するコンテンツを表示する第１の表示手段と、
処理開始指示信号を前記他の表示装置に送信する処理開始指示信号送信手段と、
前記他の表示装置が表示しているコンテンツを特定するコンテンツ識別情報を前記他の表示装置から受信した場合に前記コンテンツ識別情報で特定されるコンテンツを第１のコンテンツ取得手段が取得して前記第１の表示手段に表示する第１の処理手段として機能させるためのプログラム。
【請求項９】
他の表示装置と通信する表示装置のコンピュータを、
コンテンツを取得する第２のコンテンツ取得手段と、
前記第２のコンテンツ取得手段が取得するコンテンツを選択するコンテンツ選択手段と、
前記コンテンツ選択手段が選択したコンテンツを前記第２のコンテンツ取得手段により取得して表示する第２の表示手段と、
前記処理開始指示信号を前記他の表示装置から受信した場合に前記コンテンツ識別情報を前記他の表示装置に送信するコンテンツ識別情報送信手段として機能させるためのプログラム。
【請求項１０】
第１の表示装置と第２の表示装置とを用いた表示制御方法であって、
前記第１の表示装置は、
コンテンツを取得する第１のコンテンツ取得過程と、
前記第１のコンテンツ取得過程で取得するコンテンツを表示する第１の表示過程と、
処理開始指示信号を前記第２の表示装置に送信する処理開始指示信号送信過程と、
前記第２の表示装置が表示しているコンテンツを特定するコンテンツ識別情報を前記第２の表示装置から受信した場合に前記コンテンツ識別情報で特定されるコンテンツを第１のコンテンツ取得過程で取得して前記第１の表示過程で表示する第１の処理過程とを実行し、
前記第２の表示装置は、
コンテンツを取得する第２のコンテンツ取得過程と、
前記第２のコンテンツ取得過程で取得するコンテンツを選択するコンテンツ選択過程と、
前記コンテンツ選択過程で選択したコンテンツを前記第２のコンテンツ取得過程で取得して表示する第２の表示過程と、
前記処理開始指示信号を前記第１の表示装置から受信した場合に前記コンテンツ識別情報を前記第１の表示装置に送信するコンテンツ識別情報送信過程とを実行することを特徴とする表示制御方法。
【発明の詳細な説明】
【技術分野】
【０００１】
本発明は、表示制御システム、表示装置、プログラム及び表示制御方法に関する。
【背景技術】
【０００２】
従来から、ビデオレコーダなどの録画装置と、携帯電話などの携帯端末との間で通信して情報処理を行う技術が知られている。この技術では、録画装置が記憶しているコンテンツを携帯電話でユーザが視聴する場合に、視聴するコンテンツ名を携帯端末から録画装置に送信することにより、そのコンテンツ名に対応するコンテンツを携帯端末が録画装置から取得していた（特許文献１）。
【特許文献１】特開２００２−７７８３９号公報
【発明の開示】
【発明が解決しようとする課題】
【０００３】
しかしながら、従来の技術では、録画装置が記憶しているコンテンツを視聴する場合に、視聴するコンテンツ名などを携帯端末から録画装置に対して送信しなければならないため、コンテンツ名などを携帯端末に入力する必要があり、ユーザの操作が煩雑であるという問題があった。
【０００４】
本発明は、上記事情に鑑みてなされたものであり、その目的は、ユーザが煩雑な操作を行うことなく、表示装置で視聴していたチャネルを携帯端末で継続して視聴することができる表示制御システム、表示装置、プログラム及び表示制御方法を提供することにある。
【課題を解決するための手段】
【０００５】
（１）  本発明は、上記課題を解決するためになされたもので、本発明の一態様による表示制御システムは、第１の表示装置と第２の表示装置とを備える表示制御システムであって、前記第１の表示装置は、コンテンツを取得する第１のコンテンツ取得部と、前記第１のコンテンツ取得部が取得するコンテンツを表示する第１の表示部と、処理開始指示信号を前記第２の表示装置に送信する処理開始指示信号送信部と、前記第２の表示装置が表示しているコンテンツを特定するコンテンツ識別情報を前記第２の表示装置から受信した場合に前記コンテンツ識別情報で特定されるコンテンツを第１のコンテンツ取得部が取得して前記第１の表示部に表示する第１の処理部とを備え、前記第２の表示装置は、コンテンツを取得する第２のコンテンツ取得部と、前記第２のコンテンツ取得部が取得するコンテンツを選択するコンテンツ選択部と、前記コンテンツ選択部が選択したコンテンツを前記第２のコンテンツ取得部により取得して表示する第２の表示部と、前記処理開始指示信号を前記第１の表示装置から受信した場合に前記コンテンツ識別情報を前記第１の表示装置に送信するコンテンツ識別情報送信部とを備える。
本発明では、第２の表示装置の第２の表示部に表示しているコンテンツを、第１の表示装置の第１の表示部で表示することができるため、ユーザが煩雑な操作を行うことなく、第２の表示装置で視聴していたコンテンツを第１の表示装置で継続して視聴することができる。
【０００６】
（２）  また、本発明の一態様による表示制御システムの前記第１のコンテンツ取得部は、前記コンテンツとして放送波に含まれるコンテンツを取得し、前記コンテンツ識別情報送信部は、コンテンツを特定するコンテンツ識別情報として、放送波に含まれるチャネルを特定するチャネル識別情報を送信する。
本発明では、第２の表示装置の第２の表示部に表示しているチャネルを、第１の表示装置の第１の表示部で表示することができるため、ユーザが煩雑な操作を行うことなく、表示装置で視聴していたチャネルを携帯端末で継続して視聴することができる。
【０００７】
（３）  また、本発明の一態様による表示制御システムは、前記コンテンツ識別情報送信部は、前記コンテンツ識別情報とともに前記コンテンツ再生経過時間を送信し、前記第１の処理部は、前記第２の表示装置が表示しているコンテンツを特定するコンテンツ識別情報と前記第２の表示装置でのコンテンツの再生経過時間とを前記第２の表示装置から受信した場合に前記コンテンツ識別情報で特定されるコンテンツを第１のコンテンツ取得部が取得して前記コンテンツ再生経過時間から前記第１の表示部に表示する。
本発明では、第２の表示装置の第２の表示部に表示しているコンテンツを、第２の表示装置の第２の表示部でコンテンツ再生経過時間から表示することができるため、ユーザが煩雑な操作を行うことなく、第２の表示装置で視聴していたコンテンツを第１の表示装置で継続して視聴することができる。
【０００８】
（４）  また、本発明の一態様による表示制御システムは、前記第１の表示装置は、前記コンテンツ識別情報を前記第２の表示装置から受信した場合に前記第２の表示部でのコンテンツの表示を停止させる表示停止指示信号を前記第２の表示装置に送信する表示停止指示信号送信部を備え、前記第２の表示装置は、前記表示停止指示信号を前記第１の表示装置から受信した場合に前記第２の表示部でのコンテンツの表示を停止する第２の処理部を備える。
本発明では、第１の表示装置が第２の表示装置からコンテンツ識別情報を受信した場合に、表示停止指示信号が第１の表示装置から第２の表示装置に送信され、第２の処理部が第２の表示部でのコンテンツの表示を停止させるため、第２の表示装置の第２の表示部に表示しているコンテンツを、第１の表示装置の第１の表示部でコンテンツ再生経過時間から表示することができるとともに、第２の表示装置の第２の表示部でのコンテンツの表示を停止することができるため、ユーザが煩雑な操作を行うことなく、第２の表示装置でのコンテンツの視聴を、第１の表示装置でのコンテンツの視聴に切り替えることができる。
【０００９】
（５）  また、本発明の一態様による表示制御システムは、前記第２の処理部は、前記表示停止指示信号を前記第１の表示装置から受信した場合に、コンテンツの表示を停止することを通知するメッセージを前記第２の表示部に表示する。
本発明では、第１の表示装置から表示停止指示信号を受信した場合に、第２の表示装置の第２の表示部でコンテンツを視聴している視聴者に対して、第２の表示装置の第２の表示部でのコンテンツの表示を停止することを通知するメッセージを表示することができる。
【００１０】
（６）  また、本発明の一態様による表示装置は、他の表示装置と通信する表示装置であって、コンテンツを取得する第１のコンテンツ取得部と、前記第１のコンテンツ取得部が取得するコンテンツを表示する第１の表示部と、処理開始指示信号を前記他の表示装置に送信する処理開始指示信号送信部と、前記他の表示装置が表示しているコンテンツを特定するコンテンツ識別情報を前記他の表示装置から受信した場合に前記コンテンツ識別情報で特定されるコンテンツを第１のコンテンツ取得部が取得して前記第１の表示部に表示する第１の処理部と備える。
【００１１】
（７）  また、本発明の一態様による表示装置は、他の表示装置と通信する表示装置であって、コンテンツを取得する第２のコンテンツ取得部と、前記第２のコンテンツ取得部が取得するコンテンツを選択するコンテンツ選択部と、前記コンテンツ選択部が選択したコンテンツを前記第２のコンテンツ取得部により取得して表示する第２の表示部と、前記処理開始指示信号を前記他の表示装置から受信した場合に前記コンテンツ識別情報を前記他の表示装置に送信するコンテンツ識別情報送信部と備える。
【００１２】
（８）  また、本発明の一態様によるプログラムは、他の表示装置と通信する表示装置のコンピュータを、コンテンツを取得する第１のコンテンツ取得手段と、前記第１のコンテンツ取得手段が取得するコンテンツを表示する第１の表示手段と、処理開始指示信号を前記他の表示装置に送信する処理開始指示信号送信手段と、前記他の表示装置が表示しているコンテンツを特定するコンテンツ識別情報を前記他の表示装置から受信した場合に前記コンテンツ識別情報で特定されるコンテンツを第１のコンテンツ取得手段が取得して前記第１の表示手段に表示する第１の処理手段として機能させる。
【００１３】
（９）  また、本発明の一態様によるプログラムは、他の表示装置と通信する表示装置のコンピュータを、コンテンツを取得する第２のコンテンツ取得手段と、前記第２のコンテンツ取得手段が取得するコンテンツを選択するコンテンツ選択手段と、前記コンテンツ選択手段が選択したコンテンツを前記第２のコンテンツ取得手段により取得して表示する第２の表示手段と、前記処理開始指示信号を前記他の表示装置から受信した場合に前記コンテンツ識別情報を前記他の表示装置に送信するコンテンツ識別情報送信手段として機能させる。
【００１４】
（１０）  また、本発明の一態様による表示制御方法は、第１の表示装置と第２の表示装置とを用いた表示制御方法であって、前記第１の表示装置は、コンテンツを取得する第１のコンテンツ取得過程と、前記第１のコンテンツ取得過程で取得するコンテンツを表示する第１の表示過程と、処理開始指示信号を前記第２の表示装置に送信する処理開始指示信号送信過程と、前記第２の表示装置が表示しているコンテンツを特定するコンテンツ識別情報を前記第２の表示装置から受信した場合に前記コンテンツ識別情報で特定されるコンテンツを第１のコンテンツ取得過程で取得して前記第１の表示過程で表示する第１の処理過程とを実行し、前記第２の表示装置は、コンテンツを取得する第２のコンテンツ取得過程と、前記第２のコンテンツ取得過程で取得するコンテンツを選択するコンテンツ選択過程と、前記コンテンツ選択過程で選択したコンテンツを前記第２のコンテンツ取得過程で取得して表示する第２の表示過程と、前記処理開始指示信号を前記第１の表示装置から受信した場合に前記コンテンツ識別情報を前記第１の表示装置に送信するコンテンツ識別情報送信過程とを実行する。
【発明の効果】
【００１５】
本発明の表示制御システム、表示装置、プログラム及び表示制御方法では、ユーザが煩雑な操作を行うことなく、表示装置で視聴していたチャネルを携帯端末で継続して視聴することができる。
【発明を実施するための最良の形態】
【００１６】
（第１の実施形態）
図１は、本発明の第１の実施形態による表示制御システム１００ａの概略構成図である。この表示制御システム１００ａは、携帯端末１０ａ（第１の表示装置とも称する）、表示装置３０ａ（第２の表示装置とも称する）を備えている。
一例として、携帯端末１０ａは携帯電話であり、表示装置３０ａはテレビジョン受像機である。表示装置３０ａと携帯端末１０ａは、無線通信（短距離無線通信（Bluetooth（登録商標）など）や赤外線通信）により情報の送受信を行う。
なお、携帯端末として携帯電話ではなく、ＰＨＳ（Personal Handy-phone System：ピーエイチエス）やＰＤＡ（Personal Digital Assistant：携帯情報端末）などのその他の携帯端末を用いてもよい。
【００１７】
図２は、本発明の第１の実施形態による携帯端末１０ａの構成を示す概略ブロック図である。携帯端末１０ａは、放送波受信部１１ａ（第１のコンテンツ取得部とも称する）、表示部１２ａ（第１の表示部とも称する）、音声出力部１３ａ、操作入力部１４ａ、通信部１５ａ（処理開始指示信号送信部とも称する）、再生処理部１６ａ（第１の処理部とも称する）、制御部１７ａ、携帯端末記憶部１８ａを備えている。
【００１８】
放送波受信部１１ａは、アンテナやチューナを備えており、放送波を受信し、受信した放送波を再生処理部１６ａに出力する。放送波受信部１１ａは、携帯端末を対象とした地上デジタルテレビジョン放送であるワンセグなどの放送波を受信する。
表示部１２ａは、ＬＣＤ（Liquid Crystal Display：液晶ディスプレイ）を備えており、再生処理部１６ａが出力する映像信号に基づいて映像をＬＣＤに表示する。
音声出力部１３ａは、スピーカを備えており、再生処理部１６ａが出力する音声信号に基づいて音声をスピーカから出力する。
操作入力部１４ａは、操作ボタンを備えており、ユーザの操作に基づいて、本実施形態による表示制御システムによる処理を開始するための処理開始指示等の入力を受け付ける。
【００１９】
通信部１５ａは、アンテナを備えており、操作入力部１４ａへの処理開始指示の入力に基づき、制御部１７ａの制御に基づいて、処理開始指示信号と、携帯端末１０ａを識別するための表示装置識別情報とを表示装置３０ａに対して無線通信により送信する。
また、通信部１５ａは、チャネル識別情報を表示装置３０ａから受信した場合に、制御部１７ａの制御に基づいて、表示装置３０ａの表示部３２ａでのチャネル（１チャネルなど）の映像の表示を停止させる表示停止指示信号を、表示装置３０ａに対して送信する。なお、本実施形態では、コンテンツが、放送波に含まれるチャネルのコンテンツである場合について説明する。
【００２０】
再生処理部１６ａは、表示装置３０ａの表示部３２ａが表示しているチャネルを特定するチャネル識別情報を、表示装置３０ａの通信部３５ａから受信した場合に、放送波受信部１１ａが受信した放送波に含まれるチャネルの中から前記チャネル識別情報で特定されるチャネルの映像信号を携帯端末１０ａの表示部１２ａに表示するとともに、そのチャネルの音声信号を音声出力部１３ａに出力する。
制御部１７ａは、ＣＰＵ（Central Processing Unit：中央演算処理装置）やプログラムを格納した記憶装置を備えており、通信部１５ａ、再生処理部１６ａ、携帯端末記憶部１８ａなどを制御する。
携帯端末記憶部１８ａは、自携帯端末１０ａを識別するための携帯端末識別情報を記憶している。
【００２１】
図３は、本発明の第１の実施形態による携帯端末１０ａの携帯端末記憶部１８ａが記憶する携帯端末識別情報の一例を示す図である。図３に示すように、携帯端末記憶部１８ａは、携帯端末識別情報として、デバイスＩＤ（例えば、「ａａａａａａａ」）、ＩＰアドレス（例えば、１１．１１．１１．１）、メールアドレス（例えば、ａａａ＠ａａ．ａａ．ｊｐ）を記憶している。なお、携帯端末記憶部１８ａは、携帯端末識別情報として、デバイスＩＤ、ＩＰアドレス、メールアドレスの少なくとも一つ以上を記憶していればよい。なお、携帯端末識別情報として、デバイスＩＤ、ＩＰアドレス、メールアドレス以外のその他の識別情報を用いてもよい。
【００２２】
図４は、本発明の第１の実施形態による表示装置３０ａの構成を示す概略ブロック図である。
表示装置３０ａは、放送波受信部３１ａ（第２のコンテンツ取得部とも称する）、表示部３２ａ（第２の表示部とも称する）、音声出力部３３ａ、操作入力部３４ａ（コンテンツ選択部とも称する）、通信部３５ａ（コンテンツ識別情報送信部とも称する）、再生処理部３６ａ（第２の処理部とも称する）、制御部３７ａ、表示装置記憶部３８ａを備えている。
【００２３】
放送波受信部３１ａは、アンテナ又は有線ケーブルやチューナを備えており、放送波を受信し、受信した放送波を再生処理部３６ａに出力する。
表示部３２ａは、ＬＣＤを備えており、放送波受信部３１ａが受信する放送波に含まれるチャネルのうち操作入力部３４ａが選択するチャネルの映像をＬＣＤに表示する。
音声出力部３３ａは、スピーカを備えており、再生処理部３６ａが出力する音声信号を音声としてスピーカから出力する。
【００２４】
操作入力部３４ａは、操作ボタンを備えており、ユーザの操作に基づいて、放送波受信部３１ａが受信した放送波に含まれるチャネルを選択する。なお、操作入力部３４ａは、リモコン（図１において図示省略）の操作ボタンをユーザが操作することにより、チャネルを選択するようにしてもよい。
通信部３５ａは、アンテナを備えており、処理開始指示信号を携帯端末１０ａの通信部３５ａから受信した場合に、制御部３７ａの制御に基づいて、チャネル識別情報を携帯端末１０ａに送信する。
再生処理部３６ａは、放送波受信部３１ａが受信した放送波に含まれるチャネルの中から操作入力部３４ａで選択されるチャネルの映像信号を表示装置３０ａの表示部３２ａに表示するとともに、そのチャネルの音声信号を音声出力部３３ａに出力する。
制御部３７ａは、ＣＰＵやプログラムを格納した記憶装置を備えており、通信部３５ａ、再生処理部３６ａ、表示装置記憶部３８ａなどを制御する。
表示装置記憶部３８ａは、表示装置３０ａを識別するための表示装置識別情報を記憶している。
【００２５】
図５は、本発明の第１の実施形態による表示装置３０ａの表示装置記憶部３８ａが記憶する表示装置識別情報の一例を示す図である。図５に示すように、表示装置記憶部３８ａは、表示装置識別情報として、デバイスＩＤ（例えば、「ｂｂｂｂｂｂｂ」）、ＩＰアドレス（例えば、２２．２２．２２．２）、メールアドレス（例えば、ｂｂｂ＠ｂｂ．ｂｂ．ｊｐ）を記憶している。なお、表示装置記憶部３８ａは、表示装置識別情報として、デバイスＩＤ、ＩＰアドレス、メールアドレスの少なくとも一つ以上を記憶していればよい。なお、表示装置識別情報として、デバイスＩＤ、ＩＰアドレス、メールアドレス以外のその他の識別情報を用いてもよい。
【００２６】
図６は、本発明の第１の実施形態による表示制御システム１００ａの処理を示すシーケンス図である。
始めに、表示装置３０ａの制御部３７ａは、操作入力部３４ａにチャネル選択指示が入力されたか否かについて判定する（ステップＳ１０１）。操作入力部３４ａにチャネル選択指示が入力されていない場合には、ステップＳ１０１で制御部３７ａは「ＮＯ」と判定し、所定時間（例えば、０．１秒）経過後、再度ステップＳ１０１に進む。一方、操作入力部３４ａにチャネル選択指示が入力された場合には、ステップＳ１０１で制御部３７ａは「ＹＥＳ」と判定し、ステップＳ１０２に進む。
【００２７】
再生処理部３６ａは、放送波受信部３１ａが受信している放送波に含まれるチャネルの中から、ステップＳ１０１で入力されたチャネル選択指示で特定されるチャネルを選択し、そのチャネルの映像信号を表示部３２ａに出力して（ステップＳ１０２）、表示部３２ａに映像を表示させるとともに、そのチャネルの音声信号を音声出力部３３ａに出力して、音声出力部３３ａに音声を出力させる。
そして、表示装置３０ａの制御部３７ａは、ステップＳ１０１で入力されたチャネル識別情報を表示装置記憶部３８ａに記録する（ステップＳ１０３）。
【００２８】
一方、携帯端末１０ａの制御部１７ａは、本実施形態による表示制御システム１００ａの処理を開始するための処理開始指示が操作入力部１４ａに入力されたか否かについて判定する（ステップＳ２０１）。処理開始指示が操作入力部１４ａに入力されていない場合には、ステップＳ２０１で制御部１７ａは「ＮＯ」と判定し、所定時間（例えば、０．１秒）経過後、再度ステップＳ２０１に進む。一方、処理開始指示が操作入力部１４ａに入力された場合には、ステップＳ２０１で制御部１７ａは「ＹＥＳ」と判定し、ステップＳ２０２に進む。
そして、携帯端末１０ａの制御部１７ａは、処理開始指示信号と自携帯端末１０ａを識別するための携帯端末識別情報とを、通信部１５ａを介して表示装置３０ａに対して送信する（ステップＳ２０２）。
【００２９】
表示装置３０ａの制御部３７ａは、ステップＳ２０２で携帯端末１０ａの通信部１５ａが送信した処理開始指示信号と携帯端末識別情報とを、通信部３５ａを介して受信する（ステップＳ１０４）。
そして、表示装置３０ａの制御部３７ａは、ステップＳ１０３で記憶したチャネル識別情報を読み出す（ステップＳ１０５）。
次に、表示装置３０ａの制御部３７ａは、ステップＳ１０５で読み出したチャネル識別情報と、自表示装置を識別するための表示装置識別情報とを、ステップＳ１０４で受信した携帯端末識別情報で識別される携帯端末１０ａに対して、通信部３５ａを介して送信する（ステップＳ１０６）。
なお、ステップＳ１０６で、チャネル識別情報等を表示装置３０ａから携帯端末１０ａに送信した後に、表示装置３０ａの表示部３２ａに「チャネル識別情報を送信しました。」等のメッセージを表示するようにしてもよい。
【００３０】
携帯端末１０ａの制御部１７ａは、ステップＳ１０６で表示装置３０ａが送信したチャネル識別情報と表示装置識別情報とを、通信部１５ａを介して受信する（ステップＳ２０３）。
なお、ステップＳ２０３で、チャネル識別情報等を表示装置３０ａが携帯端末１０ａから受信した後に、携帯端末１０ａの表示部３２ａに「チャネル識別情報を受信しました。」等のメッセージを表示するようにしてもよい。
そして、携帯端末１０ａの制御部１７ａは、ステップＳ２０３で受信したチャネル識別情報を再生処理部１６ａに出力することにより、放送波受信部１１ｂが受信する放送波の中からそのチャネル識別情報で特定されるチャネルの映像信号を再生処理部１６ａに選択させて表示部１２ａに出力させるとともに、放送波受信部１１ｂが受信する放送波の中からそのチャネルの音声信号を再生処理部１６ａに選択させて音声出力部１３ａに出力させる（ステップＳ２０４）。これにより、チャネル識別情報で特定されるチャネルの映像が表示部１２ａで表示されるとともに、そのチャネルの音声が音声出力部１３ａから出力される。
次に、携帯端末１０ａの制御部１７ａは、表示停止指示信号を、ステップＳ２０３で受信した表示装置識別情報で識別される表示装置３０ａに対して、通信部１５ａを介して送信する（ステップＳ２０５）。
【００３１】
表示装置３０ａの制御部３７ａは、ステップＳ２０５で携帯端末１０ａの通信部１５ａが送信した表示停止指示信号を、通信部３５ａを介して受信する（ステップＳ１０７）。
表示装置３０ａの制御部３７ａは、再生処理部３６ａを制御することにより、図７に示すように、「１分後に電源をオフにします。」というメッセージを表示部３２ａに表示する（ステップＳ１０８）。
表示装置３０ａの制御部３７ａは、表示部３２ａでの映像の表示と音声出力部３３ａでの音声の出力を継続するための表示継続指示が、操作入力部３４ａに入力されたか否かについて判定する（ステップＳ１０９）。表示継続指示が操作入力部３４ａに入力されていない場合には、ステップＳ１０９で「ＮＯ」と制御部３７ａは判定し、ステップＳ１１０に進む。
そして、表示装置３０ａの制御部３７ａは、ステップＳ１０８で表示部３２ａにメッセージを表示してから、所定時間（例えば、１分）が経過したか否かについて判定する（ステップＳ１１０）。所定時間が経過していない場合には、ステップＳ１１０で「ＮＯ」と制御部３７ａは判定し、ステップＳ１０９に進む。一方、所定時間が経過した場合には、ステップＳ１１０で「ＹＥＳ」と制御部３７ａは判定し、ステップＳ１１１に進む。
そして、表示装置３０ａの制御部３７ａは、再生処理部３６ａにステップＳ１０３で記憶したチャネル識別情報で特定されるチャネルの映像信号の表示部３２ａへの出力を停止するとともに、そのチャネル音声信号の音声出力部３３ａへの出力を停止し（ステップＳ１１１）、表示装置３０ａの電源をオフにする。
なお、ステップＳ１０７で、表示停止指示信号を受信した場合に、メッセージを表示部３２ａに表示せずに、すぐに表示装置３０ａの電源をオフにするようにしてもよい。また、表示装置３０ａの電源をオフにするまでの時間を任意に設定できるようにしてもよい。
【００３２】
一方、ステップＳ１０９で、表示継続指示が操作入力部３４ａに入力された場合には、ステップＳ１０９で「ＹＥＳ」と制御部３７ａは判定し、ステップＳ１１２に進む。
そして、表示装置３０ａの制御部３７ａは、再生処理部３６ａにステップＳ１０３で記憶したチャネル識別情報で特定されるチャネルの映像信号の表示部３２ａへの出力を継続するとともに、そのチャネル音声信号の音声出力部３３ａへの出力を継続する（ステップＳ１１２）。
【００３３】
なお、図６のシーケンス図において、携帯端末１０ａによりステップＳ１０１〜Ｓ１１２の処理を行い、表示装置３０ａによりステップＳ２０１〜Ｓ２０５の処理を行うようにしてもよい。
【００３４】
本発明の第１の実施形態では、携帯端末１０ａの操作入力部１４ａから処理開始指示をユーザが入力すると、表示装置３０ａの表示部３２ａに表示しているチャネルの映像及び音声を、携帯端末１０ａの表示部１２ａ及び音声出力部３３ａで出力することができるため、ユーザが煩雑な操作を行うことなく、表示装置３０ａで視聴していたチャネルの映像及び音声を、携帯端末１０ａで継続して視聴することができる。
【００３５】
また、本発明の第１の実施形態では、ステップＳ２０５、Ｓ１０７〜Ｓ１１２の処理を行うことにより、携帯端末１０ａが表示装置３０ａからチャネル識別情報を受信した場合に、表示停止指示信号が携帯端末１０ａから表示装置３０ａに送信され（図６のステップＳ２０５）、表示装置３０ａの再生処理部３６ａが表示部３２ａ及び音声出力部３３ａでのチャネルの映像及び音声の出力を停止させるため（図６のステップＳ１１１）、携帯端末１０ａの操作入力部１４ａから処理開始指示をユーザが入力すると、表示装置３０ａの表示部３２ａ及び音声出力部３３ａに出力しているチャネルの映像及び音声を、携帯端末１０ａの表示部１２ａ及び音声出力部１３ａに出力することができるとともに、表示装置３０ａの表示部３２ａ及び音声出力部３３ａでのチャネルの映像及び音声の出力を停止することができるため、ユーザが煩雑な操作を行うことなく、表示装置３０ａでのチャネルの映像及び音声の視聴を、携帯端末１０ａでのチャネルの映像及び音声の視聴に切り替えることができる。
【００３６】
（第２の実施形態）
図８は、本発明の第２の実施形態による表示制御システム１００ｂの概略構成図である。この表示制御システム１００ｂは、携帯端末１０ｂ（第１の表示装置とも称する）、表示装置３０ｂ（第２の表示装置とも称する）、録画装置５０ｂを備えている。
一例として、携帯端末１０ｂは携帯電話であり、表示装置３０ｂはテレビジョン受像機であり、録画装置５０ｂはビデオレコーダである。表示装置３０ｂと携帯端末１０ｂは、無線通信（短距離無線通信（Bluetooth（登録商標）など）や赤外線通信）により情報の送受信を行う。なお、表示装置３０ｂと携帯端末１０ｂは、有線通信などのその他の通信方法により情報の送受信を行ってもよい。
また、表示装置３０ｂと録画装置５０ｂとは電気ケーブル６０により接続されており、有線通信により情報の送受信を行う。なお、表示装置３０ｂと録画装置５０ｂは、無線通信などのその他の通信方法により情報の送受信を行ってもよい。
【００３７】
図９は、本発明の第２の実施形態による携帯端末１０ｂの構成を示す概略ブロック図である。携帯端末１０ｂは、放送波受信部１１ｂ、表示部１２ｂ（第１の表示部とも称する）、音声出力部１３ｂ、操作入力部１４ｂ、通信部１５ｂ（処理開始指示信号送信部とも称する）、再生処理部１６ｂ（第１の処理部とも称する）、制御部１７ｂ、携帯端末記憶部１８ｂ、コンテンツ蓄積部１９ｂ（第１のコンテンツ取得部とも称する）を備えている。
なお、本発明の第２の実施形態における放送波受信部１１ｂ、表示部１２ｂ、音声出力部１３ｂ、操作入力部１４ｂ、通信部１５ｂ、再生処理部１６ｂ、制御部１７ｂ、携帯端末記憶部１８ｂ（図９参照）は、本発明の第１の実施形態における放送波受信部１１ａ、表示部１２ａ、音声出力部１３ａ、操作入力部１４ａ、通信部１５ａ、再生処理部１６ａ、制御部１７ａ、携帯端末記憶部１８ａ（図２参照）とほぼ同一の構成であるので、同じ処理を行う部分については説明を省略し、異なる処理を行う部分についてのみ説明を行う。
【００３８】
表示部１２ｂは、コンテンツ蓄積部１９ｂが記憶しているコンテンツの映像をＬＣＤに表示する。
音声出力部１３ｂは、コンテンツ蓄積部１９ｂが記憶しているコンテンツの音声をスピーカから出力する。
通信部１５ｂは、コンテンツ情報を表示装置３０ｂから受信した場合に、制御部１７ｂの制御に基づいて、表示装置３０ｂの表示部３２ｂでのコンテンツの映像の表示を停止させる表示停止指示信号を、表示装置３０ｂに対して送信する。
【００３９】
再生処理部１６ｂは、表示装置３０ｂの表示部３２ｂが表示しているコンテンツを特定するコンテンツ識別情報と、表示装置３０ｂの表示部３２ｂでコンテンツを再生した時間であるコンテンツ再生経過時間を、表示装置３０ｂの通信部３５ｂから受信した場合に、コンテンツ蓄積部１９ｂが記憶しているコンテンツの中から、コンテンツ識別情報で特定されるコンテンツの映像信号を読み出して、コンテンツ再生経過時間から携帯端末１０ｂの表示部１２ｂに表示するとともに、そのコンテンツの音声信号を音声出力部１３ｂに出力する。また、再生処理部１６ｂは、表示停止指示信号を表示装置３０ｂから受信した場合に、制御部３７ｂの制御に基づいて、表示部３２ｂでのコンテンツの映像の表示を停止するとともに、音声出力部３３ｂでのそのコンテンツの音声の出力を停止する。
制御部１７ｂは、通信部１５ｂ、再生処理部１６ｂ、コンテンツ蓄積部１９ｂなどを制御する。
コンテンツ蓄積部１９ｂは、メモリなどの記憶装置であり、複数のコンテンツを記憶する。コンテンツ蓄積部１９ｂは、録画装置５０ｂが記憶しているコンテンツを、本発明の第２の実施形態による表示制御システムの処理を行う前に、有線通信又は無線通信により取得して予め記憶する。
【００４０】
図１０は、本発明の第２の実施形態による携帯端末１０ｂのコンテンツ蓄積部１９ｂが記憶する情報の一例を示す図である。図１０に示すように、コンテンツ蓄積部１９ｂは、コンテンツ（例えば、コンテンツＡ）に対応付けて、コンテンツＩＤ（例えば、１２６５２８）、コンテンツ名（例えば、ボクシング）、コンテンツ長（例えば、２：００：００）を対応付けて記憶している。
【００４１】
図１１は、本発明の第２の実施形態による表示装置３０ｂの構成を示す概略ブロック図である。表示装置３０ｂは、放送波受信部３１ｂ、表示部３２ｂ（第２の表示部とも称する）、音声出力部３３ｂ、操作入力部３４ｂ（コンテンツ選択部とも称する）、通信部３５ｂ（コンテンツ識別情報送信部とも称する）、再生処理部３６ｂ（第２の処理部とも称する）、制御部３７ｂ、表示装置記憶部３８ｂ、コンテンツ管理部３９ｂ、インターフェース部４０ｂ（第２のコンテンツ取得部とも称する）を備えている。
なお、本発明の第２の実施形態における放送波受信部３１ｂ、表示部３２ｂ、音声出力部３３ｂ、操作入力部３４ｂ、通信部３５ｂ、再生処理部３６ｂ、制御部３７ｂ、表示装置記憶部３８ｂ（図１１参照）は、本発明の第１の実施形態における放送波受信部３１ａ、表示部３２ａ、音声出力部３３ａ、操作入力部３４ａ、通信部３５ａ、再生処理部３６ａ、制御部３７ａ、携帯端末記憶部３８ａ（図４参照）とほぼ同一の構成であるので、同じ処理を行う部分については説明を省略し、異なる処理を行う部分についてのみ説明を行う。
【００４２】
表示部３２ｂは、コンテンツ管理部３９ｂが記憶しているコンテンツのうち、操作入力部３４ｂが選択するコンテンツの映像をＬＣＤに表示する。
音声出力部３３ｂは、再生処理部３６ｂが出力する音声信号に基づいて音声をスピーカから出力する。
【００４３】
操作入力部３４ｂは、ユーザの操作に基づいて、表示部３２ｂに表示するコンテンツを選択する。なお、操作入力部３４ｂは、リモコン（図８において図示省略）の操作ボタンをユーザが操作することにより、コンテンツを選択するようにしてもよい。
通信部３５ｂは、処理開始指示信号を携帯端末１０ｂの通信部３５ｂから受信した場合に、制御部３７ｂの制御に基づいて、コンテンツ識別情報を携帯端末１０ｂに送信する。
再生処理部３６ｂは、コンテンツ管理部３９ｂが記憶しているコンテンツの中から操作入力部３４ｂで選択されるコンテンツの映像信号を表示装置３０ｂの表示部３２ｂに表示するとともに、そのコンテンツの音声信号を音声出力部３３ｂに出力する。
制御部３７ｂは、通信部３５ｂ、再生処理部３６ｂ、表示装置記憶部３８ｂ、コンテンツ管理部３９ｂ、インターフェース部４０ｂなどを制御する。
コンテンツ管理部３９ｂは、メモリなどの記憶装置であり、制御部３７ｂの制御に基づいて、録画装置５０ｂが記憶しているコンテンツについてのコンテンツＩＤ、コンテンツ名、コンテンツ長を録画装置５０ｂから取得する。なお、コンテンツ管理部３９ｂは、表示装置３０ｂではなく、録画装置５０ｂに設けるようにしてもよい。
インターフェース部４０ｂは、録画装置５０ｂと電気ケーブル６０により有線接続されており、制御部３７ｂの制御に基づいて、操作入力部３４ｂで選択されるコンテンツを録画装置５０ｂから取得する。
【００４４】
図１２は、本発明の第２の実施形態による録画装置５０ｂの構成を示す概略ブロック図である。録画装置５０ｂは、コンテンツ蓄積部５１、制御部５２、インターフェース部５３を備えている。
コンテンツ蓄積部５１は、ハードディスクなどの記憶装置を備えており、携帯端末１０ｂのコンテンツ蓄積部１９ｂが記憶するコンテンツ（図１０参照）を含むコンテンツを記憶している。
制御部５２は、表示装置３０ｂの制御部３７ｂから送信要求を受けたコンテンツをコンテンツ蓄積部５１から読み出して、インターフェース部５３を介して、表示装置３０ｂに送信する。
インターフェース部５３は、表示装置３０ｂと電気ケーブル６０により有線接続されており、表示装置３０ｂと有線通信を行う。
【００４５】
図１３は、本発明の第２の実施形態による表示制御システム１００ｂの処理を示すシーケンス図である。なお、本発明の第２の実施形態による処理を行う前提として、携帯端末１０ｂのコンテンツ蓄積部１９ｂは、図１０で説明したコンテンツなどの情報を、表示装置３０ｂから予め取得して記憶する（ステップＳ４０１）
始めに、表示装置３０ｂの制御部３７ｂは、操作入力部３４ｂにコンテンツ選択指示が入力されたか否かについて判定する（ステップＳ３０１）。操作入力部３４ｂにコンテンツ選択指示が入力されていない場合には、ステップＳ３０１で制御部３７ｂは「ＮＯ」と判定し、所定時間（例えば、０．１秒）経過後、再度ステップＳ３０１に進む。一方、操作入力部３４ｂにコンテンツ選択指示が入力された場合には、ステップＳ３０１で制御部３７ｂは「ＹＥＳ」と判定し、ステップＳ３０２に進む。
【００４６】
再生処理部３６ｂは、ステップＳ３０１で入力されたコンテンツ選択指示で特定されるコンテンツを、インターフェース部４０ｂ、制御部３７ｂを介して、録画装置５０ｂのコンテンツ蓄積部５１から取得し、そのコンテンツの映像信号を表示部３２ｂに出力して（ステップＳ３０２）、表示部３２ｂに映像を表示させるとともに、そのコンテンツの音声信号を音声出力部３３ｂに出力して、音声出力部３３ｂに音声を出力させる。
そして、表示装置３０ｂの制御部３７ｂは、ステップＳ３０１で入力されたコンテンツコンテンツ識別情報を表示装置記憶部３８ｂに記録するとともに、コンテンツの再生を開始してから経過した時間であるコンテンツ再生経過時間を計測する（ステップＳ３０３）。
【００４７】
一方、携帯端末１０ｂの制御部１７ｂは、本実施形態による表示制御システム１００ｂの処理を開始するための処理開始指示が操作入力部１４ｂに入力されたか否かについて判定する（ステップＳ４０２）。処理開始指示が操作入力部１４ｂに入力されていない場合には、ステップＳ４０２で制御部１７ｂは「ＮＯ」と判定し、所定時間（例えば、０．１秒）経過後、再度ステップＳ４０２に進む。一方、処理開始指示が操作入力部１４ｂに入力された場合には、ステップＳ４０２で制御部１７ｂは「ＹＥＳ」と判定し、ステップＳ４０３に進む。
そして、携帯端末１０ｂの制御部１７ｂは、処理開始指示信号と自携帯端末１０ｂを識別するための携帯端末識別情報とを、通信部１５ｂを介して表示装置３０ｂに対して送信する（ステップＳ４０３）。
【００４８】
表示装置３０ｂの制御部３７ｂは、ステップＳ４０３で携帯端末１０ｂの通信部１５ｂが送信した処理開始指示信号と携帯端末識別情報とを、通信部３５ｂを介して受信する（ステップＳ３０４）。
そして、表示装置３０ｂの制御部３７ｂは、ステップＳ３０３で記憶したコンテンツ識別情報と、ステップＳ３０３で計時を開始したコンテンツ再生経過時間とを取得する（ステップＳ３０５）。
次に、表示装置３０ｂの制御部３７ｂは、ステップＳ３０５で取得したコンテンツ識別情報とコンテンツ再生経過時間と、自表示装置を識別するための表示装置識別情報とを、ステップＳ３０４で受信した携帯端末識別情報で識別される携帯端末１０ｂに対して、通信部３５ｂを介して送信する（ステップＳ３０６）。
なお、ステップＳ３０６で、コンテンツ識別情報等を表示装置３０ｂから携帯端末１０ｂに送信した後に、表示装置３０ｂの表示部３２ｂに「コンテンツ識別情報を送信しました。」等のメッセージを表示するようにしてもよい。
【００４９】
携帯端末１０ｂの制御部１７ｂは、ステップＳ３０６で表示装置３０ｂが送信したコンテンツ識別情報とコンテンツ再生経過時間と表示装置識別情報とを、通信部１５ｂを介して受信する（ステップＳ４０４）。
なお、ステップＳ４０４で、コンテンツ識別情報等を表示装置３０ｂが携帯端末１０ｂから受信した後に、携帯端末１０ｂの表示部３２ｂに「コンテンツ識別情報を受信しました。」等のメッセージを表示するようにしてもよい。
そして、携帯端末１０ｂの制御部１７ｂは、ステップＳ４０４で受信したコンテンツ識別情報を再生処理部１６ｂに出力することにより、再生処理部１６ｂにそのコンテンツ識別情報で特定されるコンテンツの映像信号をコンテンツ蓄積部１９ｂから読み出させて、コンテンツ再生経過時間から表示部１２ｂに出力させるとともに、そのコンテンツの音声信号をコンテンツ蓄積部１９ｂから読み出させて、コンテンツ再生経過時間から音声出力部１３ｂに出力させる（ステップＳ４０５）。これにより、コンテンツ識別情報で特定されるコンテンツの映像がコンテンツ再生経過時間から表示部１２ｂで表示されるとともに、そのコンテンツの音声がコンテンツ再生経過時間から音声出力部１３ｂで出力される。
次に、携帯端末１０ｂの制御部１７ｂは、表示停止指示信号を、ステップＳ４０４で受信した表示装置識別情報で識別される表示装置３０ｂに対して、通信部１５ｂを介して送信する（ステップＳ４０６）。
【００５０】
表示装置３０ｂの制御部３７ｂは、ステップＳ４０６で携帯端末１０ｂの通信部１５ｂが送信した表示停止指示信号を、通信部３５ｂを介して受信する（ステップＳ３０７）。
表示装置３０ｂの制御部３７ｂは、再生処理部３６ｂを制御することにより、「１分後に電源をオフにします。」というメッセージ（図７参照）を表示部１２ｂに表示する（ステップＳ３０８）。
表示装置３０ｂの制御部３７ｂは、表示部３２ｂでの映像の表示と音声出力部３３ｂでの音声の出力を継続するための表示継続指示が、操作入力部３４ｂに入力されたか否かについて判定する（ステップＳ３０９）。表示継続指示が操作入力部３４ｂに入力されていない場合には、ステップＳ３０９で「ＮＯ」と制御部３７ｂは判定し、ステップＳ３１０に進む。
そして、表示装置３０ｂの制御部３７ｂは、ステップＳ３０８で表示部３２ｂにメッセージを表示してから、所定時間（例えば、１分）が経過したか否かについて判定する（ステップＳ３１０）。所定時間が経過していない場合には、ステップＳ３１０で「ＮＯ」と制御部３７ｂは判定し、ステップＳ３０９に進む。一方、所定時間が経過した場合には、ステップＳ３１０で「ＹＥＳ」と制御部３７ｂは判定し、ステップＳ３１１に進む。
そして、表示装置３０ｂの制御部３７ｂは、再生処理部３６ｂにステップＳ３０３で記憶したコンテンツ識別情報で特定されるコンテンツの映像信号の表示部３２ｂへの出力を停止するとともに、そのコンテンツ音声信号の音声出力部３３ｂへの出力を停止し（ステップＳ３１１）、表示装置３０ｂの電源をオフにする。また、表示装置３０ｂの制御部３７ｂは、インターフェース部４０ｂを介して制御信号を、録画装置５０ｂに送信することにより、録画装置５０ｂの電源をオフにする。
【００５１】
なお、図１３のシーケンス図において、携帯端末１０ｂによりステップＳ３０１〜Ｓ３１２の処理を行い、表示装置３０ｂによりステップＳ４０１〜Ｓ４０６の処理を行うようにしてもよい。
【００５２】
一方、ステップＳ３０９で、表示継続指示が操作入力部３４ｂに入力された場合には、ステップＳ３０９で「ＹＥＳ」と制御部３７ｂは判定し、ステップＳ３１２に進む。
そして、表示装置３０ｂの制御部３７ｂは、再生処理部３６ｂにステップＳ３０３で記憶したコンテンツ識別情報で特定されるコンテンツの映像信号の表示部３２ｂへの出力を継続するとともに、そのコンテンツ音声信号の音声出力部３３ｂへの出力を継続する（ステップＳ３１２）。
【００５３】
本発明の第２の実施形態では、携帯端末１０ｂの操作入力部１４ｂから処理開始指示をユーザが入力すると、表示装置３０ｂの表示部３２ｂに表示しているコンテンツの映像及び音声を、コンテンツ再生経過時間から携帯端末１０ｂの表示部１２ｂ及び音声出力部１３ｂで出力することができるため、ユーザが煩雑な操作を行うことなく、表示装置３０ｂで視聴していたコンテンツの映像及び音声を、携帯端末１０ｂで継続して視聴することができる。
【００５４】
また、本発明の第２の実施形態では、ステップＳ４０６、Ｓ３０７〜Ｓ３１２の処理を行うことにより、携帯端末１０ｂが表示装置３０ｂからコンテンツ識別情報を受信した場合に、表示停止指示信号が携帯端末１０ｂから表示装置３０ｂに送信され（図１３のステップＳ４０６）、表示装置３０ｂの再生処理部３６ｂが表示部３２ｂ及び音声出力部３３ｂでのコンテンツの映像及び音声の出力を停止させるため（図１３のステップＳ３１１）、携帯端末１０ｂの操作入力部１４ｂから処理開始指示をユーザが入力すると、表示装置３０ｂの表示部３２ｂ及び音声出力部３３ｂに出力しているコンテンツの映像及び音声を、コンテンツ再生経過時間から携帯端末１０ｂの表示部１２ｂ及び音声出力部１３ｂに出力することができるとともに、表示装置３０ｂの表示部３２ｂ及び音声出力部３３ｂでのコンテンツの映像及び音声の出力を停止することができるため、ユーザが煩雑な操作を行うことなく、表示装置３０ｂでのコンテンツの映像及び音声の視聴を、携帯端末１０ｂでのコンテンツの映像及び音声の視聴に切り替えることができる。
【００５５】
（第３の実施形態）
次に、本発明の第３の実施形態による表示制御システムについて説明する。この表示制御システムは、携帯端末１０ｃ、表示装置３０ｃ、表示装置３０ｄを備えている。
携帯端末１０ｃの構成は、第１の実施形態による携帯端末１０ａ（図２）と同様であるので、その説明を省略する。また、表示装置３０ｃ、３０ｄの構成は、第１の実施形態による表示装置３０ａ（図４）と同様であるので、その説明を省略する。
【００５６】
図１４は、本発明の第３の実施形態による表示制御システムの処理を示すシーケンス図である。第３の実施形態による表示制御システムの処理（図１４）におけるステップＳ５０１〜Ｓ５１２、Ｓ６０１〜Ｓ６０３の処理は、第１の実施形態による表示制御システムの処理（図６）と同じであるので、その説明を省略する。
【００５７】
ステップＳ６０３の後、携帯端末１０ｃの制御部は、表示停止指示信号を、ステップＳ６０３で受信した表示装置識別情報で識別される表示装置３０ｃに対して、携帯端末１０ｃの通信部を介して送信する（ステップＳ６０４）。
【００５８】
携帯端末１０ｃの制御部は、送信指示が携帯端末１０ｃの操作入力部に入力されたか否かについて判定する（ステップＳ６０５）。送信指示が携帯端末１０ｃの操作入力部に入力されていない場合には、ステップＳ６０５で携帯端末１０ｃの制御部は「ＮＯ」と判定し、所定時間（例えば、０．１秒）経過後、再度ステップＳ６０５に進む。一方、送信指示が携帯端末１０ｃの操作入力部に入力された場合には、ステップＳ６０５で携帯端末１０ｃの制御部は「ＹＥＳ」と判定し、ステップＳ６０６に進む。
そして、携帯端末１０ｃの制御部は、ステップＳ６０３で受信したチャネル識別情報を、携帯端末１０ｃの通信部を介して表示装置３０ｄに対して送信する（ステップＳ６０６）。
【００５９】
表示装置３０ｄの制御部は、ステップＳ６０６で携帯端末１０ｃが送信したチャネル識別情報を、表示装置３０ｄの通信部を介して受信する（ステップＳ７０１）。
そして、表示装置３０ｄの制御部は、ステップＳ７０１で受信したチャネル識別情報を表示装置３０ｄの再生処理部に出力することにより、表示装置３０ｄの放送波受信部が受信する放送波の中からそのチャネル識別情報で特定されるチャネルの映像信号を表示装置３０ｄの再生処理部に選択させて表示装置３０ｄの表示部に出力させるとともに、表示装置３０ｄの放送波受信部が受信する放送波の中からそのチャネルの音声信号を表示装置３０ｄの再生処理部に選択させて表示装置３０ｄの音声出力部に出力させる（ステップＳ７０２）。これにより、チャネル識別情報で特定されるチャネルの映像が表示装置３０ｄの表示部で表示されるとともに、そのチャネルの音声が表示装置３０ｄの音声出力部から出力される。
なお、ステップＳ７０１において、表示装置３０ｄが携帯端末１０ｃからチャネル識別情報を受信した際に、表示装置３０ｄの電源がオフである場合には、その表示装置３０ｄの電源をオンにした後に、ステップＳ７０１で受信したチャネル識別情報で特定されるチャネルを表示装置３０ｄの表示部に表示するようにしてもよい。
【００６０】
上述した第３の実施形態によれば、携帯端末１０ｃのユーザが表示装置１０ｃで視聴していたチャネルを、表示装置１０ｄで継続して視聴することができる。
【００６１】
なお、上述した第１の実施形態（又は第２の実施形態）では、携帯端末１０ａ（又は携帯端末１０ｂ）の操作入力部１４ａ（又は操作入力部１４ｂ）に処理開始指示が入力された場合に、携帯端末１０ａ（又は携帯端末１０ｂ）が表示装置３０ａ（又は表示装置３０ｂ）に対して処理開始指示信号を送信する場合について説明したが、これに限定されるものではない。例えば、携帯端末１０ａ（又は携帯端末１０ｂ）と表示装置３０ａ（又は表示装置３０ｂ）とが所定距離以内に近づいたことを電波の送受信によって検出して、携帯端末１０ａ（又は携帯端末１０ｂ）が表示装置３０ａ（又は表示装置３０ｂ）に対して処理開始指示信号を送信するようにしてもよい。
また、上述した第１の実施形態（又は第２の実施形態）において、携帯端末１０ａ（又は携帯端末１０ｂ）の代わりにテレビジョン受像機などの表示装置を用いてもよい。この場合、携帯端末１０ａ（又は携帯端末１０ｂ）に相当する表示装置の電源がオンになったときに、この表示装置は表示装置３０ａ（又は表示装置３０ｂ）に対して処理開始指示信号を送信する。携帯端末１０ａ（又は携帯端末１０ｂ）に相当する表示装置と、表示装置３０ａ（又は表示装置３０ｂ）との通信は、ＬＡＮ（Local Area Network）などのネットワークを用いてもよいし、無線通信や有線通信などを使用して直接送信するようにしてもよい。
【００６２】
また、上述した第１の実施形態（又は第２の実施形態）では、携帯端末１０ａ（又は携帯端末１０ｂ）が表示装置３０ａ（又は表示装置３０ｂ）からチャネル識別情報（コンテンツ識別情報）を受信した場合に、携帯端末１０ａ（又は携帯端末１０ｂ）の表示部１２ａ（又は表示部１２ｂ）が、チャネル（又はコンテンツ）の表示を行う場合について説明したが、これに限定されるものではない。
例えば、携帯端末１０ａ（又は携帯端末１０ｂ）が表示装置３０ａ（又は表示装置３０ｂ）からチャネル識別情報（コンテンツ識別情報）を受信した場合に、そのチャネル識別情報（コンテンツ識別情報）を記憶しておき、表示装置３０ａ（又は表示装置３０ｂ）とは異なる他の表示装置に対して携帯端末１０ａ（又は携帯端末１０ｂ）が記憶しているチャネル識別情報（コンテンツ識別情報）を送信した場合に、そのチャネル識別情報（コンテンツ識別情報）を受信した表示装置の表示部でチャネル（又はコンテンツ）の表示を行うようにしてもよい。なお、この場合、携帯端末１０ａが表示装置３０ａからチャネル情報を受信した時刻から、他の表示装置に対してチャネル情報を送信する時刻まで、そのチャネルのコンテンツを携帯端末１０ａに記憶しておくようにするとよい。
【００６３】
なお、以上説明した実施形態において、図２の携帯端末１０ａの放送波受信部１１ａ、表示部１２ａ、音声出力部１３ａ、操作入力部１４ａ、通信部１５ａ、再生処理部１６ａ、制御部１７ａ、携帯端末記憶部１８ａ、図４の表示装置３０ａの放送波受信部３１ａ、表示部３２ａ、音声出力部３３ａ、操作入力部３４ａ、通信部３５ａ、再生処理部３６ａ、制御部３７ａ、表示装置記憶部３８ａ、図９の携帯端末１０ｂの放送波受信部１１ｂ、表示部１２ｂ、音声出力部１３ｂ、操作入力部１４ｂ、通信部１５ｂ、再生処理部１６ｂ、制御部１７ｂ、携帯端末記憶部１８ｂ、コンテンツ蓄積部１９ｂ、図１１の表示装置３０ｂの放送波受信部３１ｂ、表示部３２ｂ、音声出力部３３ｂ、操作入力部３４ｂ、通信部３５ｂ、再生処理部３６ｂ、制御部３７ｂ、表示装置記憶部３８ｂ、コンテンツ管理部３９ｂ、インターフェース部４０ｂ、図１２の録画装置５０ｂのコンテンツ蓄積部５１、制御部５２、インターフェース部５３の機能又はこれらの機能の一部を実現するためのプログラムをコンピュータ読み取り可能な記録媒体に記録して、この記録媒体に記録されたプログラムをコンピュータシステムに読み込ませ、実行することにより表示制御システムの制御を行ってもよい。なお、ここでいう「コンピュータシステム」とは、ＯＳや周辺機器等のハードウェアを含むものとする。
【００６４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６５】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【００６６】
【図１】本発明の第１の実施形態による表示制御システム１００ａの概略構成図である。
【図２】本発明の第１の実施形態による携帯端末１０ａの構成を示す概略ブロック図である。
【図３】本発明の第１の実施形態による携帯端末１０ａの携帯端末記憶部１８ａが記憶する携帯端末識別情報の一例を示す図である。
【図４】本発明の第１の実施形態による表示装置３０ａの構成を示す概略ブロック図である。
【図５】本発明の第１の実施形態による表示装置３０ａの表示装置記憶部３８ａが記憶する表示装置識別情報の一例を示す図である。
【図６】本発明の第１の実施形態による表示制御システム１００ａの処理を示すシーケンス図である。
【図７】本発明の第１の実施形態による表示装置３０ａの表示部３２ａに表示される画像の一例を示す図である。
【図８】本発明の第２の実施形態による表示制御システム１００ｂの概略構成図である。
【図９】本発明の第２の実施形態による携帯端末１０ｂの構成を示す概略ブロック図である。
【図１０】本発明の第２の実施形態による携帯端末１０ｂのコンテンツ蓄積部１９ｂが記憶する情報の一例を示す図である。
【図１１】本発明の第２の実施形態による表示装置３０ｂの構成を示す概略ブロック図である。
【図１２】本発明の第２の実施形態による録画装置５０ｂの構成を示す概略ブロック図である。
【図１３】本発明の第２の実施形態による表示制御システム１００ｂの処理を示すシーケンス図である。
【図１４】本発明の第３の実施形態による表示制御システムの処理を示すシーケンス図である。
【符号の説明】
【００６７】
１０ａ、１０ｂ・・・携帯端末、１１ａ、１１ｂ・・・放送波受信部、１２ａ、１２ｂ・・・表示部、１３ａ、１３ｂ・・・音声出力部、１４ａ、１４ｂ・・・操作入力部、１５ａ、１５ｂ・・・通信部、１６ａ、１６ｂ・・・再生処理部、１７ａ、１７ｂ・・・制御部、１８ａ、１８ｂ・・・携帯端末記憶部、１９ｂ・・・コンテンツ蓄積部、３０ａ、３０ｂ・・・表示装置、３１ａ、３１ｂ・・・放送波受信部、３２ａ、３２ｂ・・・表示部、３３ａ、３３ｂ・・・音声出力部、３４ａ、３４ｂ・・・操作入力部、３５ａ、３５ｂ・・・通信部、３６ａ、３６ｂ・・・再生処理部、３７ａ、３７ｂ・・・制御部、３８ａ、３８ｂ・・・表示装置記憶部、３９ｂ・・・コンテンツ管理部、４０ｂ・・・インターフェース部、５０ｂ・・・録画装置、５１・・・コンテンツ蓄積部、５２・・・制御部、５３・・・インターフェース部、１００ａ、１００ｂ・・・表示制御システム
【図１】
2008244921.tif 000003
【図２】
2008244921.tif 000004
【図３】
2008244921.tif 000005
【図４】
2008244921.tif 000006
【図５】
2008244921.tif 000007
【図６】
2008244921.tif 000008
【図７】
2008244921.tif 000009
【図８】
2008244921.tif 000010
【図９】
2008244921.tif 000011
【図１０】
2008244921.tif 000012
【図１１】
2008244921.tif 000013
【図１２】
2008244921.tif 000014
【図１３】
2008244921.tif 000015
【図１４】
2008244921.tif 000016